(57)【要約】【課題】抜け出し防止機能を有した管継手を、水中で容易にかつ迅速に接続することを課題とする。【解決手段】受口６内面のロックリング収納溝内に、開き勝手とされた一つ割りのロックリング１を設置し、先端に挿口突部７ａを有する挿口７を挿入後、ロックリング１を縮径させて一つ割り部に結合ピース３を挿入して縮径を維持させ、挿口突部７ａとかかりあわせることで抜け出し防止を図る管継手において、一つ割りロックリング１の割り部２両端の受口開口側面に、受口６の開口端９に達するブラケット１０、１０をそれぞれ取り付けるとともに、割り部２間の結合ピース３をはめ込む開口部の両側に、受口開口端に至るガイド板１５、１５を取付け、挿口７を受口６に挿入後、受口開口端に臨まされたブラケット１０、１０の端面にロックリング絞り器１１を取り付けてロックリング１を縮径させ、ついで、ガイド板間に結合ピース３を、磁石１６を先端に有する挿入部材１７で挿入する。【選択図】　図１
2004084695.tif 000002
【特許請求の範囲】
【請求項１】
受口内面のロックリング収納溝内に、開き勝手とされた一つ割りのロックリングを設置し、先端に挿口突部を有する挿口を挿入後、ロックリングを縮径させ、一つ割り部に結合ピースを挿入して縮径を維持させることで、前記挿口突部とかかりあわせ、抜け出し防止を図った管継手において、前記一つ割りロックリングの割り部受口開口側面に、前記受口の開口端に達する長さのブラケットをそれぞれ取り付けるとともに、前記割り部間の結合ピースをはめ込む開口部の両側に、受口開口端に至るガイド板を取付け、挿口を前記受口に挿入後、受口開口端に臨まされた前記ブラケットの端面にロックリング絞り器を取り付けてロックリングを縮径させ、ついで、前記ガイド板間に結合ピースを、先端に磁石を有する挿入部材を用い、前記磁石に結合ピースを吸着させて支持し挿入することを特徴とする水中配管用管継手の接続方法。
【請求項２】
受口内面のロックリング収納溝内に、開き勝手とされた一つ割りのロックリングを設置し、先端に挿口突部を有する挿口を挿入後、ロックリングを縮径させて一つ割り部に結合ピースを挿入して縮径を維持させ、前記挿口突部とかかりあわせることで抜け出し防止を図る管継手において、前記一つ割りロックリングの割り部の受口開口側の側面に着脱自在に固定可能とされ、長さが前記受口の開口端に達し、受口開口端側端面にロックリング絞り器に係脱自在な係合部が設けられた二個一対のブラケットと、ロックリングの一つ割り部に着脱自在に取付けられ前記受口開口端まで達する長さのガイド板と、先端に磁石を有するロッド状の挿入器具よりなる水中配管用管継手の接続治具。
【発明の詳細な説明】
【０００１】
【発明の属する技術分野】
本発明は水中配管用管継手の接続方法およびその治具に関する。
【０００２】
【従来の技術】
導水用トンネルが老朽化して更新する場合、導水を維持したまま管路を更新しなければならない場合がある。
【０００３】
【発明が解決しようとする課題】
このような不断水状態で、管を更新しようとすれば、どうしても水中で管を接続しなければならなくなるが、水中での接続作業は、陸上で行う場合に比べかなり困難が伴うといった問題があった。
【０００４】
たとえば、図６に示すように、ロックリング１で抜け出し防止を図った管継手の場合、受口６に挿口７を挿入したあとロックリング１の絞り操作や結合ピース（図示せず）の挿入などの作業が必要となるが、これら作業は陸上では、通常、対象物を視認した状態で行われるが、水中では、手探り作業とならざるを得ず、従って、水中での接続作業は非常に困難となる等の問題があった。
【０００５】
この発明は、上記問題を解消し、抜け出し防止機能を有した管継手を、水中で容易にかつ迅速に接続することを課題としてなされたものである。
【０００６】
【課題を解決するための手段】
この課題を達成するため請求項１の発明は、受口内面のロックリング収納溝内に、開き勝手とされた一つ割りのロックリングを設置し、先端に挿口突部を有する挿口を挿入後、ロックリングを縮径させ、一つ割り部に結合ピースを挿入して縮径を維持させることで、前記挿口突部とかかりあわせ、抜け出し防止を図った管継手において、前記一つ割りロックリングの割り部受口開口側面に、前記受口の開口端に達する長さのブラケットをそれぞれ取り付けるとともに、前記割り部間の結合ピースをはめ込む開口部の両側に、受口開口端に至るガイド板を取付け、挿口を前記受口に挿入後、受口開口端に臨まされた前記ブラケットの端面にロックリング絞り器を取り付けてロックリングを縮径させ、ついで、前記ガイド板間に結合ピースを、先端に磁石を有する挿入部材を用い、前記磁石に結合ピースを吸着させて支持し挿入することを特徴とするものである。
【０００７】
この方法によれば、受口に挿口を挿入後ロックリングを縮径させる場合に、ロックリング絞り器の係合部分が受口開口端より外部になるので観察しながらの作業が容易になると同時に、手探りでの作業も容易となる。また、絞り後のロックリングに結合ピースをはめ込む場合も、ガイド板の間に先端に磁石を有する挿入部材で吸着支持して結合ピースを滑り込ませるように挿入していけば良いので、手探り作業でも結合ピースの挿入作業が容易に可能となる。
【０００８】
請求項２の発明は、請求項１の方法を実施するための治具であって、受口内面のロックリング収納溝内に、開き勝手とされた一つ割りのロックリングを設置し、先端に挿口突部を有する挿口を挿入後、ロックリングを縮径させて一つ割り部に結合ピースを挿入して縮径を維持させ、前記挿口突部とかかりあわせることで抜け出し防止を図る管継手において、前記一つ割りロックリングの割り部の受口開口側の側面に着脱自在に固定可能とされ、長さが前記受口の開口端に達し、受口開口端側端面にロックリング絞り器に係脱自在な係合部が設けられた二個一対のブラケットと、ロックリングの一つ割り部に着脱自在に取付けられ前記受口開口端まで達する長さのガイド板と、先端に磁石を有するロッド状の挿入器具よりなるものである。
【０００９】
従って、この治具を管接続作業に先立ちロックリングに予め取り付けてセットしておけば水中での管接続作業が容易に可能となるのである。
【００１０】
【発明の実施の形態】
次に、この発明の実施の形態である水中配管用管継手の接続方法およびその治具について説明する。
【００１１】
図１は、この発明の実施の形態である水中配管用管継手の接続治具の要部分解斜視図である。
図１において１は一つ割りとされたロックリングを示し、割り部２には結合ピース３が調整ボルト４、４で取り付けられている。
【００１２】
結合ピース３は、ロックリング１の一方の端面に取付けられるコ字状をなす第一の結合ピース３ａと、他方の端面に取付けられ、前記第一の結合ピースと向き合う状態のコ字状をなす第二の結合ピース３ｂと、第一、第二の結合ピース３ａ、３ｂとの間の向き合うコ字状片の間に介挿され、ロックリング１の割り部間隔Ｓを絞ったままに維持するように作用する第三の結合ピース３ｃとから構成されている。
【００１３】
調整ボルト４は図２に示すように中央にナット部４ａを有し両端が互いのねじ筋４ｂの向きが逆にされ、同一方向の回転で両端にねじ嵌合した物体が近づいたり離れたりするようにされている。
【００１４】
このロックリング１の割り部２近傍の側面に図３に示すように受口６内面と挿口７外面との間にできる隙間８に挿入可能な厚さの板であって、ロックリング１の側面から受口６の開口端９に達する長さＬとされたブラケット１０、１０が着脱自在に取付けられている。
【００１５】
このブラケット１０、１０は、受口開口端側面１０ａ、１０ａにロックリング絞り器１１の係合部１２、１２が係合可能とされ、図１に示した矢印方向の力が加わった時にロックリング１の割り部２を狭める方向に力を伝達するため、周方向に沿った幅広の形状とされている。
【００１６】
また、ブラケット１０、１０内には図３に示すように貫通孔１０ｂが穿設されこの貫通孔１０ｂ内に取り付けボルト１３、１３が貫通され、ボルト１３はロックリング１の側面に形成されたねじ孔１４にねじ嵌合され、ブラケット１０の側面１０ａからドライバーなどの工具で着脱操作ができるようにされている。
【００１７】
ボルト１３の頭部は、ブラケット１０、１０内の貫通孔１０ｂに形成した段状拡径部１０ｃに掛かりあうようにされ、かつ、図３に示すように締結した時、ブラケットの側面１０ａより埋め込まれるようにされており、この埋め込み部にロックリング絞り器１１の係合部１２、１２が嵌合するようにされている。
【００１８】
前述した第三の結合ピース３ｃが嵌合する第一と第二の結合ピース３ａ、３ｂの間にできる隙間部には、受口開口端に至る、ガイド板１５、１５が設けられている。なお、このガイド板１５、１５は、第三の結合ピース３ｃを隙間部に挿入するためのものであるので、ある程度の剛性を必要とし、たとえば非磁性のステンレス製、アルミ軽合金製、硬質プラスチック製などの板などとされる。
【００１９】
ガイド板１５、１５間に挿入される第三の結合ピース３ｃは、先端に磁石１６を有する操作ロッド１７により挿入される。このため、このガイド板１５は非磁性体の材質とすることが望ましい。
【００２０】
次に、上記接続治具により管を水中で接続する方法について説明する。
まず、水上または陸上で一つ割りロックリング１に第一の結合ピース３ａ、第二の結合ピース３ｂを調整ボルト４、４で取付け、次いでブラケット１０、１０をロックリング１の側面にボルト１３で取り付けるとともに、ガイド板１５、１５を第一の結合ピース３ａ、第二の結合ピース３ｂに接着により取り付ける。
【００２１】
このロックリング１を図３に示したように管の受口６内のロックリング収納溝６ａ内にセットする。
なお、ロックリング１は開き勝手であるので、図３に示したようにロックリング収納溝６ａにセットした段階では、ロックリング１の拡径変形により自発的に嵌合し、かつ挿口７の挿口突部７ａが挿入通過できるよう、溝６ａ内に入り込んでいる。
【００２２】
次いでこの管を水中へ運び、すでに水中に敷設されている管の挿口７に受口６を被せるように嵌合して接続する。
接続時、受口６の開口端９には、図５に示すようにブラケット１０、１０の端面とガイド板１５、１５の端部がのぞいている。
【００２３】
このブラケット１０、１０の端部の嵌合孔にロックリング絞り器１１の係合部１２、１２をはめ込み、ナット１１ｂを締め付けて一つ割りのロックリング１を絞っていく。
【００２４】
このとき、ブラケット１０、１０の端面は図５に示すように管受口６の開口端に臨まされているのでロックリング絞り器１１の係合部１２、１２のはめ込みは容易に行える。
【００２５】
また、ブラケット１０、１０のロックリング１に対する接触面は、周方向に沿って幅を有し、かつ肉厚内を貫通する取付けボルト１３でロックリング１にしっかりと固定されているので、片持状態であってもロックリング絞り器１１の絞り方向の力は確実にロックリング１に伝えられる。
【００２６】
そして、第一と第二の結合ピース３ａ、３ｂ間に十分な隙間ができれば、ガイド板１５，１５間に、第三の結合ピース３ｃを挿入する。
この挿入は、先端に磁石１６を取り付けた操作ロッド１７により、先端の磁石１６に第三の結合ピース３ｃを吸着させて行う。
【００２７】
第三の結合ピース３ｃは、操作ロッド１７先端の磁石１６に吸着されているので任意に位置調節ができ、かつ、ガイド板１５、１５で案内されているので、容易に挿入される。
【００２８】
第三の結合ピース３ｃを第一と第二の結合ピース３ａ、３ｂ間に挿入すれば、ロックリング絞り器１１の締め付け力を解除する。
すると、ロックリング１は開き勝手とされているので、拡径するロックリング１に取り付けた第一、第二の結合ピース３ａ、３ｂにより第三の結合ピース３ｃが挟み付けられる状態となり、ロックリング１は縮径した状態に維持され、挿口突部７ａと係合する関係となって、図３、図５に矢印Ａで示す方向の挿口７の抜け出しを防止するのである。
【００２９】
そして、このようにして接続が終了すれば、ブラケット１０の端面に臨む取付けボルト１３をドライバーなどの工具で外し、ブラケット１０を抜き取り、また、ガイド板１５を引き剥がして除去するのである。
以上説明したように、水中で管接続作業をする場合、開き勝手のロックリングを絞り、第三の結合ピース３ｃを挿入する作業が管外部から狭い隙間を覗き込むことを必要としないので、作業を容易に実施することができるのである。
【００３０】
【発明の効果】
以上説明したように、この発明の水中配管用管継手の接続方法によれば、水中であってもロックリングを備えた管継手の接続が容易に可能となる。
【００３１】
また、この方法を実施するための治具も構造が簡単であるのできわめて安価に提供でき、実施も容易である等の効果を有する。
【図面の簡単な説明】
【図１】この発明の実施の形態である水中配管用管継手の接続治具の要部分解斜視図である。
【図２】調整ボルトの側面図である。
【図３】ロックリングの装着状態を示す要部断面図である。
【図４】ロックリング絞り器で絞る前のロックリングの状態を示す要部斜視図である。
【図５】ロックリング絞り器で絞る前のブラケットの状態を示す要部斜視図である。
【図６】従来管継手の断面図である。
【符号の説明】
１　　一つ割りとされたロックリング
２　　割り部
３　　結合ピース
３ａ　第一の結合ピース
３ｂ　第二の結合ピース
３ｃ　第三の結合ピース
４　　調整ボルト
６　　受口
７　　挿口
８　　隙間
９　　受口の開口端
１０　　ブラケット
１０ａ　ブラケットの受口開口端側面
１１　　ロックリング絞り器
１２　　係合部
１３　　取り付けボルト
１４　　ねじ孔
１５　　ガイド板
１６　　磁石
１７　　操作ロッド
【図１】
2004084695.tif 000003
【図２】
2004084695.tif 000004
【図３】
2004084695.tif 000005
【図４】
2004084695.tif 000006
【図５】
2004084695.tif 000007
【図６】
2004084695.tif 000008